(57)【要約】      （修正有）【課題】スリーブとフェルールとを外部負荷から切り離すことによって、トランシーバの送信機の光学性能に関する外部ウィグル負荷の効果を劇的に低減する。【解決手段】トランシーバレセプタクルの「フローティング」ポート組立体は、レセプタクルに接続された光ファイバケーブルに加えられた機械的負荷がポート組立体のスリーブに伝搬した場合、レセプタクルのレセプタクルスリーブの軸方向に円錐状に（例えば、横方向及び上下方向に角度を持って）浮くことが可能となる。ポート組立体は、負荷が取り除かれる場合、組立体をそのオリジナルの中心位置に戻すことができるように組立体に対して付勢するスプリングリターン機構を備える。このように浮くことによって、レセプタクルのスリーブと、光ファイバケーブルのフェルールとが、光ファイバケーブルを経由して伝搬される外部負荷から切り離される。【選択図】図１
2008181092.tif 000002
【特許請求の範囲】
【請求項１】
光ファイバケーブルのコネクタを収容するために用いられるレセプタクルであって、
レセプタクルハウジングと、
前記レセプタクルハウジング内に収容され、光学軸及び中心軸を有するポートを画成するフローティングポート組立体ハウジングと、
前記フローティングポート組立体ハウジング内に収容され、光ファイバケーブルのフェルールを収容する円柱形状のスリーブを有するフローティングポート組立体とを備え、
前記スリーブが、前記光ファイバケーブルのコネクタを前記レセプタクルに接続する場合、前記フェルールの少なくとも一部と当接して、かつ周囲を取り囲むような内側表面を有し、前記スリーブが、前記ポートの中心軸と同軸上にある軸を有し、前記ポートの光学軸は、前記フローティングポート組立体が中心位置にある場合、前記ポートの中心軸と同軸上にあり、前記フローティングポート組立体が、スプリングリターン機構を有し、前記フローティングポート組立体に回転モーメントが加えられた場合、前記スプリングリターン機構によって、前記フローティングポート組立体の中心位置から前記ポートの中心軸に対して回動可能に構成されており、前記スプリングリターン機構は、前記回転モーメントが取り除かれた場合、前記フローティングポート組立体を前記中心位置に戻すように構成されていることを特徴とするレセプタクル。
【請求項２】
前記スリーブが、ソリッドスリーブであり、前記スリーブの内側表面が、前記フェルールの外側表面と正確に一致するようにサイズ調整された直径を有していることを特徴とする請求項１に記載のレセプタクル。
【請求項３】
前記スリーブが、スプリットスリーブであり、前記スプリットスリーブが、前記フェルールの外側表面の一部まわりで圧縮されることによって、前記圧縮されたスリーブの内側表面が、前記フェルールの外側表面と正確に一致するように構成されていることを特徴とする請求項１に記載のレセプタクル。
【請求項４】
前記フローティングポート組立体ハウジングが、前記フローティングポート組立体ハウジングの後部に隣接する後部フランジを有し、前記スプリングリターン機構が、前記後部フランジに隣接する前記フローティングポート組立体ハウジングの後部外周に取付けられるＯリング状のＲＴＺスプリングを備え、前記レセプタクルハウジングが、前記ＲＴＺスプリングに当接する内側表面を有することによって、前記レセプタクルハウジングの内側表面及び前記後部フランジが、前記レセプタクルハウジング内に前記ＲＴＺスプリングを取付ける溝部を形成していることを特徴とする請求項１に記載のレセプタクル。
【請求項５】
前記フローティングポート組立体ハウジングが、前記フローティングポート組立体ハウジングの正面部分に隣接する正面フランジを備え、前記レセプタクルハウジングの内側表面の一部が、前記正面フランジに当接しているか又は近接しており、前記フローティングポート組立体が前記ポートの中心軸に対して特定の距離を移動した場合、前記ポートの中心軸に対する前記フローティングポート組立体の移動が、前記正面フランジに当接している前記レセプタクルハウジングの内側表面の一部によって制限されるように構成されていることを特徴とする請求項１に記載のレセプタクル。
【請求項６】
前記フローティングポート組立体が更に、
ピッグテール用マウントと、
前端部及び後端部を有するファイバスタブとを備え、
前記光ファイバケーブルのコネクタが前記レセプタクルに接続された場合、前記ファイバスタブの前端部が、前記フェルールの後端部と当接しながら結合しており、前記ファイバスタブが、前記スリーブの軸と同軸上に揃った軸を備えていることを特徴とする請求項１に記載のレセプタクル。
【請求項７】
送信機用レセプタクルとして構成されていることを特徴とする請求項１に記載のレセプタクル。
【請求項８】
受信機用レセプタクルとして構成されていることを特徴とする請求項１に記載のレセプタクル。
【請求項９】
送信機用レセプタクルと受信機用レセプタクルとを備える２連式レセプタクルに構成されており、前記レセプタクルハウジング、前記フローティングポート組立体ハウジング、及び前記フローティングポート組立体が、前記受信機用レセプタクル内に設けられていることを特徴とする請求項１に記載のレセプタクル。
【請求項１０】
光ファイバケーブルのコネクタを収容するように構成されたレセプタクル内で光学カップリングの位置決めを維持する方法であって、
光ファイバケーブルのコネクタを、前記レセプタクルのレセプタクルハウジングのポートへ接続するステップを含んでおり、
前記レセプタクルハウジングが、前記レセプタクルハウジングに収容されるポート組立体ハウジングを有し、前記ポート組立体ハウジングが、フローティングポート組立体を収容するポートを画成し、前記ポートが、光学軸及び中心軸を有し、前記フローティングポート組立体が、光ファイバケーブルのフェルールを収容する円柱形状のスリーブを有し、前記スリーブが、前記光ファイバケーブルのコネクタが前記レセプタクルに接続された場合、前記フェルールの少なくとも一部と当接し、かつ周囲を取り囲む内側表面を有し、前記スリーブが、前記ポートの中心軸と同軸上にある軸を有し、前記ポートの光学軸が、前記フローティングポート組立体が中心位置にある場合、前記ポートの中心軸と同軸であり、前記フローティングポート組立体が、スプリングリターン機構を備え、前記フローティングポート組立体に回転モーメントが加えられた場合、前記スプリングリターン機構によって、前記フローティングポート組立体が前記フローティングポート組立体の中心位置から前記ポートの中心軸に対して回動可能に構成され、前記スプリングリターン機構は、前記回転モーメントが取り除かれた場合、前記フローティングポート組立体を前記中心位置に戻すように構成されている方法。
【請求項１１】
前記スリーブが、ソリッドスリーブであり、前記スリーブの内側表面が、前記フェルールの外側表面と正確に一致するようにサイズ調整された直径を有するように構成されている請求項１０に記載の方法。
【請求項１２】
前記スリーブが、スプリットスリーブであり、前記スプリットスリーブが、前記フェルールの外側表面の一部まわりで圧縮されることによって、前記圧縮されたスリーブの内側表面が、前記フェルールの外側表面と正確に一致するように構成されている請求項１０に記載の方法。
【請求項１３】
前記フローティングポート組立体ハウジングが、前記フローティングポート組立体ハウジングの後部に隣接する後部フランジを有し、前記スプリングリターン機構が、前記後部フランジに隣接する前記フローティングポート組立体ハウジングの後部の外周まわりに取付けられるＯリング状のＲＴＺスプリングを備え、前記レセプタクルハウジングが、前記ＲＴＺスプリングに当接する内側表面を有することによって、前記レセプタクルハウジングの内側表面と前記後部フランジとが、前記レセプタクルハウジング内に前記ＲＴＺスプリングを取付ける溝部を形成している請求項１０に記載の方法。
【請求項１４】
前記フローティングポート組立体ハウジングが、前記フローティングポート組立体ハウジングの正面部分に隣接した正面フランジを備え、前記レセプタクルハウジングの内側表面の一部は、前記正面フランジに当接しているか又は近接しており、前記フローティングポート組立体が前記ポートの中心軸に対して特定の距離を移動した場合、前記ポートの中心軸に対する前記フローティングポート組立体の移動が、前記正面フランジに当接している前記レセプタクルハウジングの内側表面の一部によって制限されるように構成されている請求項１０に記載の方法。
【請求項１５】
トランシーバファイバの端部を、前記フローティングポート組立体のピッグテール用マウントに接続するステップを更に含み、前記ファイバの端部が、前記フローティングポート組立体のファイバスタブ内に含まれるようにし、前記ファイバスタブが、前端部と後端部とを有し、前記光ファイバケーブルのコネクタが前記レセプタクルに接続された場合、前記ファイバスタブの前端部が、前記フェルールの後端部に当接して結合しており、前記ファイバスタブが、前記スリーブの軸と同軸上に揃った軸を有することとなるステップを含む請求項１０に記載の方法。
【請求項１６】
前記レセプタクルが、送信機用レセプタクルとして構成されている請求項１０に記載の方法。
【請求項１７】
前記レセプタクルが、受信機用レセプタクルとして構成されている請求項１０に記載の方法。
【請求項１８】
前記レセプタクルは、送信機用レセプタクルと受信機用レセプタクルとを備える２連式レセプタクルであり、前記レセプタクルハウジング、前記フローティングポート組立体ハウジング、及び前記フローティングポート組立体が、前記受信機用レセプタクル内に設けられている請求項１０に記載の方法。
【発明の詳細な説明】
【技術分野】
【０００１】
本発明は、光通信システムで使用されるトランシーバに関する。更に詳しくは、本発明は、光ファイバケーブルから伝搬される外部負荷からフェルール及びスリーブを切り離すようにトランシーバのレセプタクル内で浮いているポートを備えているトランシーバに関する。
【背景技術】
【０００２】
光ファイバトランシーバは、光ファイバケーブルから光を発信したり受信したりする。光ファイバケーブルは、据え付けられ及び使用されている間、機械的な負荷を受けることとなる。使用中にケーブルは光信号を送信している、例えば、ケーブルに加わる引張力のような機械的な負荷が、光ファイバとトランシーバの送信ポートとの間の光カップリング効率を弱めることによって、光信号の品質を落とす可能性がある。この問題は、光通信業界において、「ウィグル」（ｗｉｇｇｌｅ）又は「ウィグルロス」（ｗｉｇｇｌｅ  ｌｏｓｓｅｓ）と称される。
【０００３】
ウィグル及びウィグルロスを除去又は低減するために、様々な技術が用いられている。ある技術では、トランシーバの送信ポートと光ファイバケーブルの光ファイバを恒久的に一体化させることがある。この構成は、一般に、ピッグテール（ｐｉｇｔａｉｌ）と称されている。この手法の１つの欠点は、送信機用モジュールからファイバを取り外すことができないことにある。多くの場合、光ファイバケーブルを１つの送信ポートから取外し、異なる送信ポートに取り付け可能であることが望ましい。ファイバを送信ポートと一体化することは、明らかにこのような可能性を除外することとなる。
【０００４】
別の技術では、剛体的にマウントされたポートを有するスプリットスリーブのレセプタクルを用いることがある。この技術を用いて、光ファイバケーブルを、トランシーバのレセプタクルに接続できる。光ファイバケーブル内の光ファイバは、正確に配置されたセラミック製のフェルールによって取り囲まれており、このセラミック製のフェルールは、正確に形成されたレセプタクルのスリーブによってレセプタクル内に案内されるように構成されている。このスリーブは、ケーブルをレセプタクル内に一旦挿入すると、スリーブの内径をフェルールの外径にほぼ一致させるように、最終的な内径へ圧縮するスプリットを備えている。あいにく、このスプリットは、スリーブを弱めて、ファイバケーブルに負荷をかけた場合、フェルールが送信機に対して移動可能となっていることにより、ウィグルロスをもたらすこととなる。
【０００５】
別の技術では、リジットにマウントされたポートを有するソリッドスリーブレセプタクルを用いることがある。この技術を用いて、光ファイバケーブルを、トランシーバのレセプタクルに接続できる。光ファイバケーブル内の光ファイバは、セラミック製のフェルールによって取り囲まれており、セラミック製のフェルールは、正確に形成されたスリーブによってレセプタクル内に導かれるように正確に配置されている。このスリーブは、スプリットを有していないが、フェルールの直径と正確に一致するように形成される内径を有する（銃身のような）完全な円柱形状となっている。この構成の欠点は、スリーブの内径とフェルールの直径とが、フェルールの直径の変動によって正確に一致しない場合があることにある。スリーブは堅固に構成されており、フェルールの直径に正確に一致させるために必要とされる正確な内径を実現するために精度良く圧縮することはできない。そのため、送信機に対する光ファイバの位置決めが、比較的正確でなくなる。これにより、フェルールの直径の変動に伴って変化する光のロスが生じるという結果になる。
【０００６】
従って、トランシーバの送信ポートと光ファイバケーブルの光ファイバとの間の光カップリング効率を改善するトランシーバの送信ポートが、必要とされている。
【発明を実施するための最良の形態】
【０００７】
本発明は、トランシーバのレセプタクルの「フローティング」ポート組立体を提供する。この構成によって、送信ポート組立体は、レセプタクルに接続された光ファイバケーブルに加えられた機械的負荷をポート組立体のスリーブに伝搬する場合、レセプタクル内部のレセプタクルスリーブの軸方向に対して、円錐状に（例えば、横方向及び上下方向に角度を持って）浮くことが可能となる。ポート組立体は、負荷を取り除いた場合に、ポート組立体をオリジナルの中心位置に戻すスプリングリターン機構を備えている。このように浮くことによって、レセプタクルのスリーブと、光ファイバケーブルのフェルールとが、光ファイバケーブルを経由して伝搬される外部負荷から切り離されることとなる。スリーブとフェルールとを外部負荷から切り離すことによって、トランシーバの送信機の光学性能に関する外部ウィグル負荷の効果を劇的に低減することとなる。
【０００８】
図１は、例示する実施形態に従った本発明のトランシーバ１の斜視図を示している。トランシーバ１は、ジャケットされた光ファイバケーブル４のブーツ３に取り付けられるプラグ又はコネクタ２を収容するレセプタクル１０を備えている。ジャケットされた光ファイバケーブル４は、一般に、ファイバパッチコードと称されている。レセプタクル１０は、例示の目的のために、２連式レセプタクル２０の一部として示されている。レセプタクル１０は、送信機用レセプタクルであり、レセプタクル３０は、受信機用レセプタクルとなっている。従って、レセプタクル１０は、レセプタクル１０内の送信ポート組立体に取り付けられた光ファイバの端部（図示せず）に、トランシーバ１からの光信号を送り出すために使用されることとなる。受信機用レセプタクル３０は、光ファイバケーブル４からトランシーバ１へ送信された光を、トランシーバ１の受信ポートで受信するために使用され、ファイバ端部からトランシーバ１の光学要素（図示せず）に接続されることとなる。
【０００９】
図２は、接続される光ファイバケーブル４のコネクタ２を有する図１に示す２連式レセプタクル２０の上側後方（トランシーバ側）斜視図を示している。２連式レセプタクル２０は、２連式レセプタクル２０のハウジングを形成するように互いに取付けられる上側ケージ部２１及び下側ケージ部２３を備えている。送信機用レセプタクル１０は、レセプタクル１０にコネクタ２を取付けるために、コネクタ２上に形成された１又は複数のキーメカニズム６とペアになっている１又は複数のキーメカニズム２２を備えている。レセプタクル１０の後部１１（トランシーバ側であってコネクタの反対側）は、トランシーバ側の光ファイバピッグテール（図示せず）を収容するためのファイバピッグテール用マウント１２を備えている。ピッグテールがマウント１２に取付けられたとき、図５を参照して後述するように、ピッグテールのファイバ端部（図示せず）が、送信ポートのファイバスタブ（図示せず）内に含まれている。ファイバスタブの他方の端部は、２つのファイバ間の光学カップリングを達成するために、光ファイバケーブル４のフェルールの端部と隣接している。送信ポート組立体の構成要素と、効率の良い光学カップリングが達成される方法とが、ここで、図３〜図６Ｂを参照して詳細に説明されている。
【００１０】
図３は、フローティング送信ポート組立体４０の構成要素のいくつかを明らかにするために、上側ケージ部２１を取り除いた状態で、図２に表す２連式レセプタクル２０の上側後方（トランシーバ側）斜視図を示している。フローティング送信ポート組立体４０は、正面フランジ４２及び後部フランジ４３を有する一般に円柱形状のポートハウジング４１と、正面フランジ４２及び後部フランジ４３の間のインデント部４４と、図３では見ることができないスリーブとを備えている。フランジ４２および４３は、ポートハウジング４１の円周方向に延在している。Ｏリング又は類似のデバイスであり得るＲＴＺ（Ｒｅｔｕｒｎ−Ｔｏ−Ｚｅｒｏ：ゼロ復帰）スプリングデバイス４５が、スプリングリターン機構として機能する。スプリングデバイス４５は、ハウジング４１の後部４６まわりの案内溝によって取付けられている。図５を参照して以下に述べるように、ＲＴＺスプリングデバイス４５を固定する案内溝は、上側ケージ部２１及び後部フランジ４３の内側表面を有している。ＲＴＺスプリングデバイス４５は、案内溝内に取付けられたとき、後部フランジ４３と当接することとなる。
【００１１】
図４は、上側ケージ部２１を取り除いた状態で、送信機用レセプタクル１０の上側後方（トランシーバ側）の斜視図を例示している。これは、送信ポート４０の構成要素を示している。ポート組立体ハウジング４１は、一般に円柱形状である外面と一般に円柱形状である内面とを有するソリッドスリーブ４６を備えている。スリーブ４６の後端部は、正面フランジ４２の正面側と一致している。図３では、その他の部分４３および４４も示されている。
【００１２】
図５は、送信機用レセプタクル１０の側断面図を例示しており、送信ポート４０の構成要素と、ケーブル４のフェルールとを示している。スリーブ４６は、内側表面４６ａ及び外側表面４６ｂを有している。ポートスリーブ４６の内側表面４６ａは、光ファイバケーブル４のフェルール４７と接し、かつその周りを取り囲んでいる。スリーブ４６の内側表面４６ａは、フェルール４７の外径と一致するようにサイズ調整される内径を有している。ハウジングポート４１の周状ロッキング機構４８は、スリーブ４６をハウジング内に固定し、スリーブ４６の軸方向における送信ポート組立体４０の移動を防ぐように構成されている。フェルール４７の後端部（トランシーバ側）は、ファイバスタブ４９の前端部（ケーブル側）と当接している。スリーブ４６の後部は、ファイバスタブ４９と当接し、かつその周りを取り囲んでいる。ファイバスタブ４９は、スタブ４９の後端部から前端部へ伸びるように形成された同軸開口部を備えている。
【００１３】
図２に関して上述したように、トランシーバ側のピッグテール用マウント１２に取付けられるピッグテールのファイバ（図示せず）は、ファイバスタブ４９内に含まれる端部を有している。光は、トランシーバ側のピッグテールファイバから、ケーブル側のケーブルファイバへ伝搬する。光ファイバケーブル上の機械的負荷が、ウィグルをもたらし、光学的なロスになるのは、ここでは、当接カップリング位置と称されるフェルール４７とファイバスタブ４９との当接位置である。したがって、この当接カップリングの効率が、非常に重要となっている。光ファイバ業界で知られているように、フェルールは、レセプタクル内においてファイバスタブと当接する場合、ファイバの軸に関して自由に回転できるように設計されている。しかしながら、フェルールはしばしば、このような当接位置にある場合、適切な回転自由度を有していない。この適切な回転自由度の欠如によって、機械的負荷がケーブルにかかった場合、当接カップリング位置においてウィグルが起こることがある。本発明は、この問題を回避する。
【００１４】
上述したように、送信ポート４０は、図５に示すように、後部フランジ４３によって形成された案内溝内で、かつ、上側ケージ部２１の内側表面に、固定されるＲＴＺスプリングデバイス４５を備えている。ＲＴＺスプリングデバイス４５は、ポート組立体ハウジング４１の後部の外周まわりで延在している。ＲＴＺスプリングデバイス４５によって、送信ポート組立体４０は、フェルール４７の軸及びファイバスタブ４９の軸と同軸となっており、ファイバ軸に対して角度をもって浮くことが可能となっている。従って、機械的負荷がケーブル上にかかり、回転モーメントがフェルール４７上にかかった場合、ポート組立体４０が、ＲＴＺスプリングデバイス４５上で回転し、フェルール４７による回転の任意の欠如を補償することとなる。回転モーメントがもはや存在しなくなると、ＲＴＺスプリングデバイス４５によって、ポート組立体４０は、その元の中心位置に戻ることができる。フェルール４７が適切な回転自由度を有する場合、ポート組立体４０は回転しない。従って、ポート組立体４０は、フェルール４７の回転自由度の欠如を補償するために必要な程度だけ回転することとなる。上側ケージ部２１及び下側ケージ部２３上に形成された枢軸機構４８は、ポート組立体４０が、その中心位置から遠くまで移動しすぎることを抑制するように構成されている。本発明は、ポート組立体４０に対して与えられた自由度に関し制限はないが、ポート組立体４０は一般に、２°から４°の間のいずれの角度にも移動することができるように構成されている。
【００１５】
図６（Ａ）は、ポート組立体がその中心位置にある場合、すなわち、スリーブ４６上にフェルール４７による回転モーメントがかかっていない場合におけるスリーブ４６、フェルール４７、及びファイバスタブ４９の軸の位置決めを示す図を例示している。ポート組立体４０がその中心位置にある場合、スリーブ４６、フェルール４７、及びファイバスタブ４９の軸はすべて、ポートの中心軸５１と同軸上に位置している。フェルール４７の端部は、当接カップリング位置５２において、ファイバスタブ４９の終端部と当接している。この位置では、ポートの光学軸５３が、ポートの中心軸５１と一致し、更にこれらの軸はまた、スリーブ４６、フェルール４７、及びファイバスタブ４９の軸とも一致している。
【００１６】
図６（Ｂ）は、フェルール４７によってスリーブ４６上に回転モーメントがかかることによって、ポート組立体が、ポートの中心軸５１に対してある角距離の移動をしたことを除いて図６Ａに示すものと同じ図を示している。スリーブ４６、フェルール４７、及びファイバスタブ４９の軸は、互いに一致し、ポートの光学軸５３と一致している。すなわち、これらは全て同軸上に位置している。しかしながら、ポートの光学軸５３は、ポートの中心軸５１と一致していない。いずれにせよ、当接カップリング位置における当接カップリングは変わっていない。その結果、スリーブ４６、フェルール４７、及びファイバスタブ４９の軸は、互いに一致するので、カップリング効率は低下しないこととなる。光学軸５３と、スリーブ４６、フェルール４７、及びファイバスタブ４９の軸は、全てともに弧を描いて同じ量移動し、揃った状態にあるので、当接カップリングは、フェルール４７に加えられたモーメントから本質的に切り離されることとなる。ポート組立体４０は、ポートの中心軸５１に関して任意の角度方向に移動することができる。すなわち、ポート組立体４０は、ポートの中心軸５１に対して円錐状に移動する自由度を有する。許容される移動量は、枢軸機構４８によって決定されることとなる。上述したように、曲げモーメントが解放されると、スプリングリターン機構４５がポート組立体４０をその中心位置に戻し（すなわち、軸５１および５３が揃い）、ポート組立体４０が、レセプタクル１０内の中心位置に戻ることができる。
【００１７】
本発明は、送信機用レセプタクルに関して記載されているが、本発明は、受信機用レセプタクルにも同様に適用され、かつ、２連式レセプタクルに限定されるものではない。本発明はまた、差し込まれるようにレセプタクルが設計されたコネクタのタイプに関して限定されない。更に、本発明は、ピッグテールファイバではなく、トランシーバ側のレーザデバイスを差し込むように構成されるレセプタクルにも適用される。多くのレセプタクルが、トランシーバ側において、トランシーバの回路によって駆動されるレーザを受信する。本発明のフローティングポート組立体は、これらのタイプのレセプタクルにも同様に使用可能である。また、本発明は、ポート組立体がソリッドスレーブを用いる場合に関して記載されているが、本発明は、ポート組立体がスプリットスリーブを用いる場合にも等しく適用される。いずれの場合であれ、ポート組立体の浮かぶ性質が、本明細書に記載した利点を与えることとなる。
【００１８】
本発明は、いくつかの例示的な実施形態に関連して記載されたことが注目されるべきである。しかしながら、本発明は、これら実施形態に限定されない。当業者によって理解されるように、本明細書で提供された説明を考慮して、本明細書に記載の実施形態に対して多くの変形がなされ、そのような変形の全てが、本発明の範囲内である。
【図面の簡単な説明】
【００１９】
【図１】フローティングポート組立体を有するレセプタクルを組み込んだ、例示的な実施形態に従った本発明のトランシーバの斜視図を示す。
【図２】接続される光ファイバケーブルのコネクタを有する図１におけるトランシーバの２連式レセプタクルの上側後方（トランシーバ側）斜視図を示している。
【図３】フローティング送信ポート組立体の構成要素のいくつかを明らかにするために、上側ケージ部を取り除いた状態で、図２における２連式レセプタクルの上側後方（トランシーバ側）斜視図を示している。
【図４】フローティングポート組立体の構成要素を示すために、上側ケージ部を取り除いた状態で、図２におけるレセプタクルの上側後方（トランシーバ側）斜視図を示している。
【図５】フローティングポート組立体の構成要素とケーブルのフェルールとを示す図２において、レセプタクルの側断面図を示している。
【図６】（Ａ）は、ポート組立体がその中心位置にある場合において、スリーブ、フェルール、及びファイバスタブの軸の位置決めを表す図を例示している。（Ｂ）は、フェルールによってスリーブに加えられた回転モーメントのために、ポート組立体が、ポート中心軸に対してある角距離移動している点を除いて、図６Ａに表すものと同じ図を例示している。
【符号の説明】
【００２０】
１  トランシーバ
２  コネクタ
３  ブーツ
４  光ファイバケーブル
１０  レセクタプル（送信機用レセクタプル）
１１  後部
１２  マウント（ピッグテール用マウント）
２０  レセクタプル（２連式レセクタプル）
２１  上側ケージ部
２２  キーメカニズム
２３  下側ケージ部
３０  レセクタプル（受信機用レセクタプル）
４０  ポート組立体（送信ポート、送信ポート組立体）
４１  ハウジング(ポートハウジング、ポート組立体ハウジング)
４２  正面フランジ
４３  後部フランジ
４４  インデント部
４５  スプリングデバイス（ＲＴＺスプリングデバイス、スプリングリターン機構）
４６  スリーブ（ソリッドスリーブ、ポートスリーブ）
４６ａ  内側表面
４６ｂ  外側表面
４７  フェルール
４８  周状ロッキング機構（枢軸機構）
４９  ファイバスタブ
５１  中心軸
５２  当接カップリング位置
５３  光学軸
【図１】
2008181092.tif 000003
【図２】
2008181092.tif 000004
【図３】
2008181092.tif 000005
【図４】
2008181092.tif 000006
【図５】
2008181092.tif 000007
【図６】
2008181092.tif 000008
【外国語明細書】
2008181092.tif 000009
2008181092.tif 000010
2008181092.tif 000011
2008181092.tif 000012
2008181092.tif 000013
2008181092.tif 000014
2008181092.tif 000015
2008181092.tif 000016
2008181092.tif 000017
2008181092.tif 000018
2008181092.tif 000019
2008181092.tif 000020
2008181092.tif 000021
2008181092.tif 000022
2008181092.tif 000023
2008181092.tif 000024
2008181092.tif 000025
2008181092.tif 000026